(57)【要約】【課題】携帯型メディア装置を立てた状態で利用可能とする。【解決手段】携帯型メディア装置１００の本体に対して、接続部１１は電力または信号を授受する接続部材２００を接続するとともに携帯型メディア装置１００の本体における側面１０２に備えられ、固定部１５１は接続部１１に接続部材２００が接続された状態において携帯型メディア装置１００の本体と接続部材２００とにより携帯型メディア装置１００の本体を所定の姿勢に維持するように接続部材２００を固定する。【選択図】図１
2011239016.tif 000002
【特許請求の範囲】
【請求項１】
本体、
前記本体に対して電力または信号を授受する接続部材を接続するとともに前記本体における側面に備えられる接続部、
前記接続部に前記接続部材が接続された状態において前記本体と前記接続部材とにより前記本体を所定の姿勢に維持するように前記接続部材を固定する固定部、
を備えることを特徴とする携帯型メディア装置。
【請求項２】
前記接続部は、前記本体に対して前記接続部材が回動可能に接続されるとともに、前記固定部は前記接続部材を回動しないように固定することを特徴とする、
請求項１に記載の携帯型メディア装置。
【請求項３】
前記固定部は、前記本体に対して前記接続部材の一部が挿入可能な凹形状であることを特徴とする、
請求項１または２に記載の携帯型メディア装置。
【請求項４】
前記固定部は、前記本体に設けられた凸形状であることを特徴とする、
請求項１または２に記載の携帯型メディア装置。
【請求項５】
携帯型メディア装置に対して電力または信号を授受するために前記携帯型メディア装置に接続される端子部、
前記端子部を保持する接続プラグ、
前記端子部が、前記携帯型メディア装置が備える接続部に接続された状態において、前記携帯型メディア装置の本体と前記接続プラグにより前記携帯型メディア装置の本体を所定の姿勢に維持するように前記接続プラグを係止する係止部、
を備えることを特徴とする接続部材。
【請求項６】
前記接続プラグは、前記携帯型メディア装置に対して回動可能に接続されるとともに、前記係止部は前記接続プラグを回動しないように固定することを特徴とする、
請求項５に記載の接続部材。
【請求項７】
前記係止部は、前記接続プラグに設けられた凸形状であることを特徴とする、
請求項５または６に記載の接続部材。
【請求項８】
前記係止部は、ユーザの操作によって突出する構造であることを特徴とする、
請求項７に記載の接続部材。
【発明の詳細な説明】
【技術分野】
【０００１】
本発明は、携帯型メディア装置を立てた状態で利用可能とする、携帯型メディア装置および接続部材に関する。
【背景技術】
【０００２】
各種携帯型メディア装置において、装置への充電やデータ授受に、専用クレードルを用いることが一般的となっている。一例としては、専用クレードルに携帯型メディア装置を装着することにより、携帯型メディア装置を立てた状態で、専用クレードルに接続された電源コードやデータ端子から携帯型メディア装置に充電やデータの授受を行う。
【０００３】
従来の携帯型メディア装置および接続部材は、携帯型メディア装置を立てた状態で利用したいときは、専用クレードルに携帯型メディア装置を装着し、接続部材を専用クレードルに接続する。
【先行技術文献】
【特許文献】
【０００４】
【特許文献１】特開２００８−１６６８６５号公報
【発明の概要】
【発明が解決しようとする課題】
【０００５】
しかし、上記のような専用クレードルは、例えば携帯型メディア装置を旅行時に携帯する場合にはかさばるものであり、さらには携帯型メディア装置を製造販売するメーカにとっても部品代や金型代等コスト増の要因となる。
【０００６】
特許文献１には、携帯型端末において外部インターフェースのカバーを回動させることにより、携帯型端末を自立させるスタンド部材として機能させることが開示されている。
【０００７】
特許文献１のように、携帯型メディア装置のカバー等を用いて自立可能な構造とした場合は、携帯型メディア装置に直接接続部材を接続した状態で携帯型メディア装置を立てた状態で利用できるが、携帯型メディア装置におけるスタンドを実現する構造が複雑であり、結果的に携帯型メディア装置の部品代や金型代等のコストが増加してしまう。
【０００８】
本発明はこのような問題点に鑑みなされたものであり、コストのかかる専用クレードルや複雑な構造を用いることなく、携帯型メディア装置を立てた状態で利用可能とする、携帯型メディア装置および接続部材を提供することを目的とする。
【課題を解決するための手段】
【０００９】
上記目的を達成するために、第１の発明に係る携帯型メディア装置（１００）は、本体、前記本体に対して電力または信号を授受する接続部材（２００）を接続するとともに前記本体における側面に備えられる接続部（１１）、前記接続部（１１）に前記接続部材（２００）が接続された状態において前記本体と前記接続部材（２００）とにより前記本体を所定の姿勢に維持するように前記接続部材（２００）を固定する固定部（１５１、１５２）、を備えることを特徴とする。
【００１０】
第２の発明に係る携帯型メディア装置（１００）は、第１の発明において、前記接続部（１１）は、前記本体に対して前記接続部材（２００）が回動可能に接続されるとともに、前記固定部（１５１、１５２）は前記接続部材（２００）を回動しないように固定することを特徴とする。
【００１１】
第３の発明に係る携帯型メディア装置（１００）は、第１の発明または第２の発明において、前記固定部（１５１、１５２）は、前記本体に対して前記接続部材（２００）の一部が挿入可能な凹形状であることを特徴とする。
【００１２】
第４の発明に係る携帯型メディア装置（１００）は、第１の発明または第２の発明において、前記固定部（１５１、１５２）は、前記本体に設けられた凸形状であることを特徴とする。
【００１３】
第５の発明に係る接続部材（２００）は、携帯型メディア装置（１００）に対して電力または信号を授受するために前記携帯型メディア装置（１００）に接続される端子部（２２）、前記端子部（２２）を保持する接続プラグ（２１）、前記端子部（２２）が、前記携帯型メディア装置（１００）が備える接続部（１１）に接続された状態において、前記携帯型メディア装置（１００）の本体と前記接続プラグ（２１）により前記携帯型メディア装置（１００）の本体を所定の姿勢に維持するように前記接続プラグ（２１）を係止する係止部（２５１、２５２）、を備えることを特徴とする。
【００１４】
第６の発明に係る接続部材（２００）は、第５の発明において、前記接続プラグ（２１）は、前記携帯型メディア装置（１００）に対して回動可能に接続されるとともに、前記係止部（２５１、２５２）は前記接続プラグ（２１）を回動しないように固定することを特徴とする。
【００１５】
第７の発明に係る接続部材（２００）は、第５の発明または第６の発明において、前記係止部（２５１、２５２）は、前記接続プラグ（２１）に設けられた凸形状であることを特徴とする。
【００１６】
第８の発明に係る接続部材（２００）は、第７の発明において、前記係止部（２５１、２５２）は、ユーザの操作によって突出する構造であることを特徴とする。
【発明の効果】
【００１７】
本発明によれば、携帯型メディア装置を簡易な構造により立てた状態での利用を可能とする。
【図面の簡単な説明】
【００１８】
【図１】本発明における第１の実施例に係る携帯型メディア装置および接続部材の斜視図である。
【図２】本発明における第１の実施例に係る携帯型メディア装置の側面図および携帯型メディア装置に接続部材を接続して立てた状態とした側面図である。
【図３】本発明における第２の実施例に係る携帯型メディア装置および接続部材の斜視図である。
【図４】本発明における第２の実施例に係る携帯型メディア装置の側面図および携帯型メディア装置に接続部材を接続して立てた状態とした側面図である。
【図５】本発明における第３の実施例に係る携帯型メディア装置および接続部材の斜視図である。
【図６】本発明における第３の実施例に係る携帯型メディア装置の側面図および携帯型メディア装置に接続部材を接続して立てた状態とした側面図である。
【図７】本発明における第３の実施例に係る接続部材の変形例の斜視図である。
【発明を実施するための形態】
【００１９】
以下、本発明の第１の実施例における携帯型メディア装置１００および接続部材２００について、図１および図２を参照して説明する。図１（ａ）は第１の実施例に係る携帯型メディア装置１００の斜視図であり、図１（ｂ）は携帯型メディア装置１００に接続される接続部材２００の斜視図である。携帯型メディア装置１００は、例えば携帯型のオーディオ再生装置、映像再生装置、記録再生装置、テレビ放送受信装置、ラジオ放送受信装置、ネットワーク装置、ナビゲーション装置等の各種携帯型装置が対象となる。
【００２０】
図１（ａ）において、携帯型メディア装置１００は、接続部１１、表示部１２、第１の固定部１５１を備える。携帯型メディア装置１００は、その本体を構成する面として、主面１０１、側面１０２、底面１０３、裏面１０４を備える。接続部材２００は、コネクタ部２０、コード２３を備え、コネクタ部２０は接続プラグ２１、端子部２２を備える。
【００２１】
携帯型メディア装置１００の本体は、一例として、樹脂やアルミニウム等の素材により構成され、形状は矩形の平板状である。携帯型メディア装置１００の本体は、携帯型メディア装置１００を立てた状態で利用した場合に、表示部１２など各種コンテンツデータを出力する面を主面１０１とし、主面１０１の両側面部を側面１０２とする。さらに、主面１０１に対する下面部を底面１０３とし、主面１０１に対向する面を裏面１０４とする。携帯型メディア装置１０の本体はこの他に上面を備える。
【００２２】
接続部１１は、例えば携帯型メディア装置１００に電力を供給するための同軸ＤＣ電源ジャックである。接続部１１が同軸ＤＣ電源ジャックである場合にはコネクタ部２０における端子部２２は同軸ＤＣ電源プラグとなり、これらを接続することによって、携帯型メディア装置１００に例えばＤＣ１２ＶやＤＣ２４Ｖ等の電力を供給し、または携帯型メディア装置１００が内蔵する図示しないバッテリを充電させる。
【００２３】
第１の固定部１５１は、携帯型メディア装置１００と接続部材２００を接続した場合、携帯型メディア装置１００と接続部材２００におけるコネクタ部２０よって、携帯型メディア装置１００を立てた状態で利用可能となるようにコネクタ部２０を固定する。本実施例の場合、第１の固定部１５１は側面１０２において、接続部材２００におけるコネクタ部２０の形状に合わせて陥没している形状となっている。このため携帯型メディア装置１００と接続部材２００を接続した場合、接続部材２００が携帯型メディア装置１００の側面１０２に固定される。このため、後述する図２（ｂ）に示すように、携帯型メディア装置１００を載置面３００に対して立てた状態に載置することができる。
【００２４】
表示部１２は、例えば液晶表示素子や有機ＥＬ（Electro Luminescence）表示素子などにより構成され、各種コンテンツや各種情報を表示する。さらには携帯型メディア装置を操作するタッチパネル操作部としてとしてもよい。
【００２５】
接続部材２００は、例えば携帯型メディア装置１００にＤＣ電源からの電力を供給するためのＤＣアダプタであり、コネクタ部２０、コード２３を備える。さらにコネクタ部２０は、接続プラグ２１、端子部２２を備え、コネクタ部２０は接続プラグ２１を支えるとともに接続プラグ２１とコード２３を内部で導通させている。
【００２６】
接続プラグ２１の形状は、ユーザが把持して携帯型メディア装置１００に容易に接続可能な形状であるとともに、携帯型メディア装置１００と接続部材２００を接続したときに、第１の固定部１５１によって携帯型メディア装置１００に固定される形状となっている。端子部２２は携帯型メディア装置１００の接続部１１に接続される形状であり、例えば同軸構造のＤＣプラグである。コード２３は端子部２２および図示しないＤＣ電源供給部を導通接続するコードである。
【００２７】
図２（ａ）は携帯型メディア装置１００の側面図であり、図２（ｂ）は携帯型メディア装置１００に接続部材２００を接続することにより載置面３００に対して立てた状態の側面図である。図２（ａ）に示すように、携帯型メディア装置１００の側面１０２には、接続部１１および第１の固定部１５１が設けられている。接続部１１および第１の固定部１５１は、側面１０２において底面１０３に近い位置に設けられるのが好ましいが、接続部材２００を接続することによって携帯型メディア装置１００を立てることが可能な位置であれば、いずれの位置であってもよい。
【００２８】
図１（ａ）及び図２（ａ）に示すように、第１の固定部１５１は、底面１０３に対して傾斜を有する溝形状としているが、底面１０３に対して平行であってもよく、接続部材２００を接続することによって携帯型メディア装置１００を立てることが可能であれば、どのような角度であってもよい。
【００２９】
図２（ｂ）に示すように、携帯型メディア装置１００の接続部１１に接続部材２００の端子部２２を挿入することによって携帯型メディア装置１００と接続部材２００が接続される。さらに第１の固定部１５１に接続プラグ２１が収まることによって、コネクタ部２０の回動を防止するとともにコネクタ部２０が固定される。このため、携帯型メディア装置１００を、携帯型メディア装置１００の本体および接続プラグ２１によって支えることができ、設置面２００に対して斜めに立てることができる。
【００３０】
このような構造によって、携帯型メディア装置１００はクレードルを用いることなく立てた状態で保持可能であり、さらに接続部材２００より電力を供給されることにより、例えば表示部１２に各種コンテンツを表示しながら、ユーザが表示部１２に表示されたコンテンツを聴取できる角度に立てた状態で利用可能である。
【００３１】
携帯型メディア装置１００において載置面３００に接触する箇所は、図２（ｂ）のように底面１０３および裏面１０４により構成される角部としたが、曲面や面で載置面３００に接触する形状であってもよい。また、接続プラグ２１においても載置面３００に接触する箇所は図２（ｂ）に示したように携帯型メディア装置１０を立てる角度に対応した接地面２１１を設けてもよい。さらに載置面３００に接触するこれらの箇所には滑り止め加工が施されたり、滑り止め素材が貼付されていてもよい。
【００３２】
次に、本発明の第２の実施例における携帯型メディア装置１００および接続部材２００について、図３および図４を参照して説明する。図３（ａ）は本発明に係る携帯型メディア装置１００の斜視図であり、図３（ｂ）は携帯型メディア装置１００に接続される接続部材２００の斜視図である。図４（ａ）は携帯型メディア装置１００の側面図、図４（ｂ）は携帯型メディア装置１００に接続部材２００を接続すること
により載置面３００に対し立てた状態の側面図であり、図１および図２と共通する内容の説明は省略する。
【００３３】
第２の実施例においては、携帯型メディア装置１００の側面１０２に突起状の第２の固定部１５２が設けられており、図４（ｂ）に示すように接続部材２００が携帯型メディア装置１００に接続されたときに、第１の実施例同様に接続プラグ２１が第２の固定部１５２により固定される。このため、携帯型メディア装置１００を、携帯型メディア装置１００の本体および接続プラグ２１によって支えることができ、設置面２００に対して斜めに立てることができる。
【００３４】
第２の固定部１５２は、図３および図４においては円柱状の突起として記載したが、接続プラグ２１を固定可能な形状であればどのような形状であってもよく、円錐形状や角柱形状、棒状などであってもよく、突起の数も１個またはさらに多数であってもよい。
【００３５】
次に、本発明の第３の実施例における携帯型メディア装置１００および接続部材２００について、図５および図６を参照して説明する。図５（ａ）は携帯型メディア装置１００の斜視図であり、図５（ｂ）は携帯型メディア装置１００に接続される本発明に係る接続部材２００の斜視図である。図６（ａ）は携帯型メディア装置１００の側面図、図６（ｂ）は携帯型メディア装置１００に接続部材２００を接続することにより載置面３００に対し立てた状態の側面図であり、図１および図２と共通する内容の説明は省略する。
【００３６】
第３の実施例においては、接続部材２００における接続プラグ２１に第１の係止部２５１を備える。図５（ｂ）に示すように、接続プラグ２１の端子部２２を有する側に、第１の係止部２５１が設けられている。このため、図６（ｂ）に示すように接続部材２００が携帯型メディア装置１００に接続されたときに、第１の係止部２５１が携帯型メディア装置１００の裏面１０４に当接することによって接続プラグ２１を係止する。このため、携帯型メディア装置１００を、携帯型メディア装置１００の本体および接続プラグ２１によって支えることができ、設置面２００に対して斜めに立てることができる
【００３７】
第１の係止部２５１は、図５および図６においては角柱状の突起としたが、接続プラグ２１を係止可能な形状であればどのような形状であってもよい。さらに第１の係止部２５１は複数に分かれていてもよい。
【００３８】
次に図７を用いて、第３の実施例における第１の係止部２５１の変形例として第２の係止部２５２について説明する。図７においては、第２の係止部２５２は接続プラグ２１に対して折り畳み可能となっている。図７（ａ）は接続部材２００を接続しても携帯型メディア装置１００を立てて利用しない場合や、接続部１１に接続しないときの状態であり、第２の係止部２５２が接続プラグ２１側に折り畳まれている。このため第２の係止部２５２を用いないときは第２の係止部２５２が邪魔にならない。
【００３９】
図７（ｂ）は、接続部材２００を接続することにより携帯型メディア装置１００を立てて利用するときの状態であり、第２の係止部２５２が接続プラグ２１から突出するように回動されている。この状態で接続部材２００と携帯型メディア装置１００を接続すると、図６（ｂ）と同様に接続プラグ２１を係止し、携帯型メディア装置１００を載置面３００に対して斜めに立てることができる。
【００４０】
本発明の実施の形態は、その要旨を逸脱しない限り、様々に変更可能である。例えば、上記実施例においては主面１０１には表示部１２が設けられているが、表示部１２に加えて図示しないスピーカを備えてもよく、表示部１２を備えずにスピーカのみであってもよい。
【００４１】
さらには、接続部材２００を携帯型メディア装置１００に接続することによって携帯型メディア装置１００にＤＣ電源からの電力を供給する例としたが、これに限らず接続部材２００は各種信号の入出力端子であってもよい。例えば接続部１１および接続プラグ２１が音声入力または音声出力を行うステレオミニジャックおよびステレオミニプラグであってもよい。さらには音声や映像を入出力するピンジャックおよびピンプラグであってもよい。
【００４２】
また、上記実施例においては、第１の固定部１５１、第２の固定部１５２、第１の係止部２５１、第２の係止部２５２は、端子部２２が接続部１１に接続されたときの接続プラグ２１の回動を防止するとともに接続プラグ２１を固定する実施例としたが、接続プラグ２１が回動しないような端子部２２および接続部１１の構成であってもよく、例えば接続部１１および端子部２２がＵＳＢ（Universal Serial Bus）ソケットおよびＵＳＢ端子であってもよい。
【符号の説明】
【００４３】
１００：携帯型メディア装置（本体）、１１：接続部、１２：表示部、１５１：第１の固定部、１５２：第２の固定部、２００：接続部材、２０：コネクタ部、２１：接続プラグ、２２：端子部、２３：コード、２５１：第１の係止部、２５２：第２の係止部
【図１】
2011239016.tif 000003
【図２】
2011239016.tif 000004
【図３】
2011239016.tif 000005
【図４】
2011239016.tif 000006
【図５】
2011239016.tif 000007
【図６】
2011239016.tif 000008
【図７】
2011239016.tif 000009